(57)【特許請求の範囲】
【請求項１】
正方形シート状に形成された網目材の４つの角部において、その１つの角部と、これに互いに隣接する２つの辺の中央部より少し上記１つの角部に寄った位置とを結ぶ部分同士を重ね合わせて接合することを上記４つの全ての角部について行うことにより形成してなる２つの接合網目状体を、これら両接合網目状体の各角部同士を位置合わせした状態で一方の接合網目状体を他方の接合網目状体の内部に配設し、上記両接合網目状体を裏返し、その状態で上記両接合網目状体の各角部を立ち上げて一体化したことを特徴とする洗浄用具。
【請求項２】
上記２つの接合網目状体が別々の接合網目状体で構成され、各接合網目状体が、正方形シート状に形成された１枚の網目材の４つの角部において、その１つの角部と、これに互いに隣接する２つの辺の中央部より少し上記１つの角部に寄った位置とを結ぶ部分同士を重ね合わせて接合することを上記４つの全ての角部について行うことにより形成されている請求項１記載の洗浄用具。
【請求項３】
上記接合が熱融着もしくは縫合により行われている請求項１記載の洗浄用具。
【請求項４】
２枚の網目材が色違いである請求項１〜３のいずれか一項に記載の洗浄用具。
【発明の詳細な説明】
【０００１】
【発明の属する技術分野】
本発明は、泡立て性能が高い洗浄用具に関するものである。
【０００２】
【従来の技術】
従来から、石鹸，ボディシャンプー等の洗浄剤を用いて身体を洗浄する場合には、洗浄剤の泡立ちをよくするために、ナイロン等の合成繊維製のタオルやスポンジ等の洗浄用具がよく用いられている。また、上記スポンジ等は、泡立てだけを目的とした場合にも、用いられている。
【０００３】
上記の洗浄用具において、洗顔料等をきめ細かく泡立たせることを主目的として、図１３に示すような洗顔用泡立てネットが提案されている（特開平１０−２７６９２８号公報）。この洗顔用泡立てネットは、所定長さに裁断された筒状の一体成型プラスチックネットからなる基材２１を準備し、この基材２１の両端開口部をそれぞれ一纏めにして紐等の結着具２２で固定したのち、一方の端部を内方に折り返し、他方の端部に指挿通用リング２３を取り付けることにより、作製されたものである。
【０００４】
このような洗顔用泡立てネットに洗顔料等をつけ、軽く揉むと、洗顔料等をきめ細かく泡立たせることができる。また、両手を合わせて筒状の基材２１の両端部を内側に押し込んで円盤状としたのち、両手を外側に開いて元の形状（細長い円筒状）に戻すと、このときに、周りから空気を取り込んで洗顔料等と混合させることができ、泡が簡単に形成されるようになっている。
【０００５】
【発明が解決しようとする課題】
しかしながら、上記の洗顔用泡立てネットは、両端開口部を一纏めにして結着具２２で固定した筒状の基材２１で構成されているため、筒状の基材２１にだけ（すなわち、洗顔用泡立てネットの外周部分にだけ）泡が保持されており、泡の保持量が少ない。しかも、筒状の基材２１を円盤状から細長い円筒状に戻すときに、周りから空気を取り込んで泡立たせようとしても、筒状の基材２１の内部に空気が侵入しにくく、洗顔料等の泡立ちが充分ではない。さらに、上記の洗顔用泡立てネットは、不使用時には、細長い円筒状であるため、立てた状態にしておくことができない。また、寝かせた状態にしておくと、転がりやすく、元の位置に存在しないことが多い。
【０００６】
本発明は、このような事情に鑑みなされたもので、泡の保持量が大幅に増加するとともに底部にも泡を充分に保持することができ、しかも、泡立ちが非常によく、座りや保形性のよい洗浄用具の提供をその目的とする。
【０００７】
【課題を解決するための手段】
上記の目的を達成するため、本発明の洗浄用具は、正方形シート状に形成された網目材の４つの角部において、その１つの角部と、これに互いに隣接する２つの辺の中央部より少し上記１つの角部に寄った位置とを結ぶ部分同士を重ね合わせて接合することを上記４つの全ての角部について行うことにより形成してなる２つの接合網目状体を、これら両接合網目状体の各角部同士を位置合わせした状態で一方の接合網目状体を他方の接合網目状体の内部に配設し、上記両接合網目状体を裏返し、その状態で上記両接合網目状体の各角部を立ち上げて一体化したという構成をとる。
【０００８】
すなわち、本発明の洗浄用具は、正方形シート状に形成された網目材の４つの角部において、その１つの角部と、これに互いに隣接する２つの辺の中央部より少し上記１つの角部に寄った位置とを結ぶ部分同士を重ね合わせて接合することを上記４つの全ての角部について行うことにより形成してなる２つの接合網目状体を、これら両接合網目状体の各角部同士を位置合わせした状態で一方の接合網目状体を他方の接合網目状体の内部に配設し、上記両接合網目状体を裏返し、その状態で上記両接合網目状体の各角部を立ち上げて一体化したものであるため、上記両接合網目状体の接合部分を中央部に配設することができ、これにより、上記接合部分に繋がる両接合網目状体の部分をも内側に配設することができる。しかも、本発明の洗浄用具は、２つの接合網目状体からなる二重構造になっている。このため、本発明の洗浄用具は、その外側部分だけでなく、内側部分（すなわち、上記接合部分およびこの接合部分に繋がる接合網目状体の部分）でも泡を保持することができるうえ、２つの接合網目状体で泡を保持することができ、泡の保持量が大幅に増加する。しかも、本発明の洗浄用具は、二重構造であるため、その底部にも泡を充分に保持することができる。しかも、本発明の洗浄用具は、接合網目状体の各角部を立ち上げたものであるため、角錐形状になっており、上記各角部の間（すなわち、上記角錐形状の、隣接する側面同士の間）に接合網目状体の中央部に達する通路が形成されている。このため、この通路に沿って空気が接合網目状体の内側に侵入しやすくなり、洗顔料等が充分に泡立つようになる。そして、上記泡の保持量が大幅に増加することと相まって、非常に泡立ちがよくなる。さらに、本発明の洗浄用具は、上述したとおりに、角錐形状になっているため、座りがよいうえ、二重構造であるため、保形性がよくなる。
【０００９】
また、本発明において、上記２つの接合網目状体が別々の接合網目状体で構成され、各接合網目状体が、正方形シート状に形成された１枚の網目材の４つの角部において、その１つの角部と、これに互いに隣接する２つの辺の中央部より少し上記１つの角部に寄った位置とを結ぶ部分同士を重ね合わせて接合することを上記４つの全ての角部について行うことにより形成されている場合には、大きさの異なる２枚の網目材を用い、２つの接合網目状体を別々に形成したのち、小さい方の接合網目状体を大きい方の接合網目状体の内部に収容することにより、小さい方の接合網目状体を大きい方の接合網目状体の内部に簡単に配設することができる。
【００１０】
また、本発明において、上記接合が熱融着もしくは縫合により行われている場合には、網目材の辺同士を重ね合わせて簡単に接合することができる。
【００１１】
また、本発明において、２枚の網目材が色違いである場合には、意匠的に優れており、商品価値がアップする。
【００１２】
【発明の実施の形態】
つぎに、本発明の実施の形態を図面にもとづいて詳しく説明する。
【００１３】
図１は本発明の洗浄用具の一実施の形態を示している。図において、１は泡立てネット部であり、略正方形の角錐形状（略ピラミッド形状）に形成されている。２は上記泡立てネット部１の頂部に取り付けられたリボンであり、泡立てネット部１の頂部に取り付けられた取り付け部２ａと、この取り付け部２ａの上方に形成された吊り掛け用，把持用のリング部２ｂとからなる。
【００１４】
上記泡立てネット部１は、図２に示すような、正方形シート状に形成されたポリエチレン製（もしくはウレタン６６製）の大小２枚のネット（網目材）３，４（大形ネット３と小形ネット４とは色違いである）を用いて作製されたものであり、それ自体の弾性やそれ自体に形成された多数の網目の変形等により、泡立てネット部１が全体として柔軟性，伸縮性，保形性を有している。
【００１５】
このような洗浄用具を、つぎのようにして作製することができる。すなわち、まず、図２に示すような大小２枚のネット３，４を準備する。ついで、これら両ネット３，４の４つの角部において、互いに隣接する辺同士５〜８（図２の一点鎖線を参照）を重ね合わせたのちに熱融着もしくは縫い付け等により接合する。この接合は、例えば、図３（図３では、大形ネット３しか図示せず）に示すように、上記ネット３，４の一角部を折り返してこの一角部に隣接する２辺を重ね合わせたのち、図４（図４でも、大形ネット３しか図示せず）に示すように、上記一角部と両辺の中央部やや手前位置（すなわち、中央部より少し上記一角部に寄った位置）間を接合する（図４において、９は接合部を示している）。同様にして、他の３つの角部においても接合部９を設ける（図５，図６および図７参照）。このようにして作製された大小２つの接合ネット体（接合網目状体）１０，１１（図７参照）は、その中央部に隙間１０ａ，１１ａ（図５および図６参照）が形成されている。なお、上記両接合ネット体１０，１１のうち、大形接合ネット体１０は大形ネット３から作製されており、小形接合ネット体１１は小形ネット４から作製されている。
【００１６】
つぎに、小形接合ネット体１１を大形接合ネット体１０の隙間１０ａから内部に入れ（図７および図８参照）、小形接合ネット体１１の各角部を大形接合ネット体１０の各角部を挿入するようにして、両接合ネット体１０，１１の各角部を位置合わせする。例えば、図７において、大形接合ネット体１０の角部１２と小形接合ネット体１１の角部１３とを位置合わせする。つぎに、両接合ネット体１０，１１の各角部１２，１３（図７および図９の○印部分を参照）を束ね、熱融着もしくは縫い付け等により接合する。つぎに、両接合ネット体１０，１１の各接合部９が内側になるように、両接合ネット体１０，１１を隙間１０ａ，１１ａからひっくり返す。このひっくり返した状態を図１０（図１０では、大形接合ネット体１０しか図示せず）に示す。つぎに、上記接合ネット体１０，１１の、各接合部９以外の部分を略正方形に折り曲げ（図１１参照。図１１でも、大形接合ネット体１０しか図示せず）、その状態で、上記各接合部９の先端部（最外側部）９ａを立ち上げて中央で１つに纏め（図１２参照）、熱融着もしくは縫い付け等により一体化する。そののち、この一体化部分にリボン２（図１参照）を取り付ける。このようにして、図１に示すような角錐形状の洗浄用具を作製することができる。この洗浄用具には、図１および図１２に示すように、角錐形状の、隣接する側面同士の間に隙間１４が形成されている。
【００１７】
この実施の形態によれば、２枚のネット３，４が洗浄用具の外周部だけでなく、洗浄用具の内側にも存在するため、泡を内側でも保持することができうえ、２枚のネット３，４で泡を保持することができ、泡の保持量が大幅に増加する。しかも、二重構造であるため、洗浄用具の底部にも泡を充分に保持することができる。しかも、隙間１４を通って空気が洗浄用具の内側に流入するため、この内側の洗浄剤も空気と充分に接触して、洗顔料の泡立ちがよくなる。また、上記泡の保持量が大幅に増加することと相まって、非常に泡立ちがよくなる。さらに、この洗浄用具は座りがよく、保形性もよい。
【００１８】
なお、上記実施の形態では、両ネット３，４の材質として、ポリエチレンもしくはウレタン６６を用いているが、これに限定するものではなく、各種の合成繊維等が用いられる。また、上記実施の形態では、リボン２にリング部２ｂを設けているが、設けなくてもよい。
【００１９】
【発明の効果】
以上のように、本発明の洗浄用具によれば、その外側部分だけでなく、内側部分でも泡を保持することができるうえ、２つの接合網目状体で泡を保持することができ、泡の保持量が大幅に増加する。しかも、本発明の洗浄用具は、二重構造であるため、その底部にも泡を充分に保持することができる。しかも、本発明の洗浄用具は、接合網目状体の各角部を立ち上げたものであるため、角錐形状になっており、上記各角部の間（すなわち、上記角錐形状の、隣接する側面同士の間）に接合網目状体の中央部に達する通路が形成されている。このため、この通路に沿って空気が接合網目状体の内側に侵入しやすくなり、洗顔料等が充分に泡立つようになる。そして、上記泡の保持量が大幅に増加することと相まって、非常に泡立ちがよくなる。さらに、本発明の洗浄用具は、上述したとおりに、角錐形状になっているため、座りがよいうえ、二重構造であるため、保形性がよくなる。
【００２０】
また、本発明において、上記２つの接合網目状体が別々の接合網目状体で構成され、各接合網目状体が、正方形シート状に形成された１枚の網目材の４つの角部において、その１つの角部と、これに互いに隣接する２つの辺の中央部より少し上記１つの角部に寄った位置とを結ぶ部分同士を重ね合わせて接合することを上記４つの全ての角部について行うことにより形成されている場合には、大きさの異なる２枚の網目材を用い、２つの接合網目状体を別々に形成したのち、小さい方の接合網目状体を大きい方の接合網目状体の内部に収容することにより、２つの接合網目状体の一方の接合網目状体を他方の接合網目状体の内部に配設することができ、簡単に作製することができる。
【００２１】
また、本発明において、上記接合が熱融着もしくは縫合により行われている場合には、網目材の辺同士を重ね合わせて簡単に接合することができる。
【００２２】
また、本発明において、２枚の網目材が色違いである場合には、意匠的に優れており、商品価値がアップする。
【図面の簡単な説明】
【図１】本発明の洗浄用具の一実施の形態を示す斜視図である。
【図２】上記洗浄用具に用いる大小２枚のネットの平面図である。
【図３】上記洗浄用具の作製方法を示す説明図である。
【図４】上記洗浄用具の作製方法を示す説明図である。
【図５】上記洗浄用具の作製方法を示す説明図である。
【図６】上記洗浄用具の作製方法を示す説明図である。
【図７】上記洗浄用具の作製方法を示す説明図である。
【図８】上記洗浄用具の作製方法を示す説明図である。
【図９】上記洗浄用具の作製方法を示す説明図である。
【図１０】上記洗浄用具の作製方法を示す説明図である。
【図１１】上記洗浄用具の作製方法を示す説明図である。
【図１２】上記洗浄用具の作製方法を示す説明図である。
【図１３】従来例の説明図である。
【符号の説明】
１０，１１  接合ネット体
【図１】
0003576970.tif 000002
【図２】
0003576970.tif 000003
【図３】
0003576970.tif 000004
【図４】
0003576970.tif 000005
【図５】
0003576970.tif 000006
【図６】
0003576970.tif 000007
【図７】
0003576970.tif 000008
【図８】
0003576970.tif 000009
【図９】
0003576970.tif 000010
【図１０】
0003576970.tif 000011
【図１１】
0003576970.tif 000012
【図１２】
0003576970.tif 000013
【図１３】
0003576970.tif 000014